(57)【要約】【課題】地震時に、ガセットプレートが天井材に食い込むことを防止でき、確実に補強ブレースの効果を発揮させて耐震性能を向上させることを可能にした吊り天井構造を提供する。【解決手段】水平の一方向Ｔ１に延設されるとともに、一方向Ｔ１に直交する水平の他方向Ｔ２に所定の間隔をあけて並設された複数の支持部材１と、上部構造に上端側を接続し、支持部材１に下端側を接続して配設された複数の吊り部材２と、支持部材１に支持されて天井面３ａを形成する板状の天井材３と、上部構造に上端側を接続し、支持部材１に一端を接続して突設されたガセットプレート５に下端側を接続して斜設された補強ブレース４とを備えるとともに、ガセットプレート５及び補強ブレース４と天井材３との上下方向Ｔ３の間に板状の介装部材７を設けて構成する。【選択図】図１
2014005627.tif 000002
【特許請求の範囲】
【請求項１】
水平の一方向に延設されるとともに、前記一方向に直交する水平の他方向に所定の間隔をあけて並設された複数の支持部材と、
上部構造に上端側を接続し、前記支持部材に下端側を接続して配設された複数の吊り部材と、
前記支持部材に支持されて天井面を形成する板状の天井材と、
上部構造に上端側を接続し、前記支持部材に一端を接続して突設されたガセットプレートに下端側を接続して斜設された補強ブレースとを備えるとともに、
前記ガセットプレート及び前記補強ブレースと前記天井材との上下方向の間に板状の介装部材を設けて構成されていることを特徴とする吊り天井構造。
【請求項２】
請求項１記載の吊り天井構造において、
前記介装部材が弾性体であることを特徴とする吊り天井構造。
【発明の詳細な説明】
【技術分野】
【０００１】
本発明は、吊り天井の構造に関する。
【背景技術】
【０００２】
従来、建物の天井部の構造として、吊り天井が多用されている。さらに、図３に示すように、例えば、クリーンルームのようにファンフィルターユニット等の大重量の設備機器を天井部に設置する必要がある吊り天井（吊り天井構造）Ａには、水平の一方向Ｔ１に延び、一方向Ｔ１に直交する他方向Ｔ２に所定の間隔をあけて並設された複数のＴバー（断面逆Ｔ型の支持部材）１と、上端側を上階の床材（上部構造）等に固着し、下端側をＴバー１に接続して配設された複数の吊りボルト（吊り部材）２と、他方向Ｔ２に隣り合うＴバー１に架け渡すように配設された天井材（システム天井、天井パネル）３とを備えて構成したものがある（例えば、特許文献１参照）。
【０００３】
ここで、この種の吊り天井Ａにおいては、天井材３に大重量の設備機器が取り付けられるため、規模の大きな地震時に応答が大きくなって、大きな振り幅で横揺れるとともに周囲の壁などに衝突し、この天井材３や設備機器に破損が生じるおそれがある。 
【０００４】
このため、従来、このような吊り天井Ａにおいては、図３及び図４に示すように、上部構造などに上端側を接続し、下端側をＴバー１に接続して補強ブレース４を設けることにより、地震時の天井材３の横揺れを抑えるようにしている。
【０００５】
また、このとき、板面が上下方向Ｔ３に沿うように、且つＴバー１に直交して突出するように、一端をＴバー１に接続してガセットプレート５を設け、補強ブレース４は、このガセットプレート５に下端側をビス留めすることにより、Ｔバー１に接続して設置される。
【先行技術文献】
【特許文献】
【０００６】
【特許文献１】特開２００５−３５０９５０号公報
【発明の概要】
【発明が解決しようとする課題】
【０００７】
しかしながら、上記のようにガセットプレート５に下端側を接続して補強ブレース４を設置した場合には、図４に示すように、地震時によって天井材３に横揺れが発生した際に、ガセットプレート５を回転させる力Ｍが作用する。そして、横揺れによってガセットプレート５が回動すると、ガセットプレート５の突出方向先端５ａの角部５ｂが天井材３に食い込み（ガセットプレート５と天井材３の間に大きな摩擦が発生し）、この食い込みと同時に急激に横揺れを抑えるような力がガセットプレート５や補強ブレース４に作用する。
【０００８】
これにより、地震時にガセットプレート５と補強ブレース４の接合部のビス６に過大な力が作用するとともにビス６の緩みや破断が発生し、その結果として、補強ブレース４による天井材３の揺れを抑さえる効果が発揮されなくなって、天井材３や設備機器に破損が生じるおそれがあった。
【０００９】
本発明は、上記事情に鑑み、地震時に、ガセットプレートが天井材に食い込むことを防止でき、確実に補強ブレースの効果を発揮させて耐震性能を向上させることを可能にした吊り天井構造を提供することを目的とする。
【課題を解決するための手段】
【００１０】
上記の目的を達するために、この発明は以下の手段を提供している。
【００１１】
本発明の吊り天井構造は、水平の一方向に延設されるとともに、前記一方向に直交する水平の他方向に所定の間隔をあけて並設された複数の支持部材と、上部構造に上端側を接続し、前記支持部材に下端側を接続して配設された複数の吊り部材と、前記支持部材に支持されて天井面を形成する板状の天井材と、上部構造に上端側を接続し、前記支持部材に一端を接続して突設されたガセットプレートに下端側を接続して斜設された補強ブレースとを備えるとともに、前記ガセットプレート及び前記補強ブレースと前記天井材との上下方向の間に板状の介装部材を設けて構成されていることを特徴とする。
【００１２】
また、本発明の吊り天井構造においては、前記介装部材が弾性体であってもよい。
なお、この発明における「弾性体」は「粘弾性体」も含む。
【発明の効果】
【００１３】
本発明の吊り天井構造においては、ガセットプレート及び補強ブレースと天井材との上下方向の間に板状の介装部材が設けられていることによって、地震時に吊り天井構造に横揺れが発生し、ガセットプレートを回転させる力が作用した場合であっても、ガセットプレートの突出方向先端側の角部が介装部材によって天井材に食い込むことを防止できる。
【００１４】
これにより、ガセットプレートの天井材への食い込みに伴って急激に横揺れを抑えるような力がガセットプレートや補強ブレースに作用することがなく、ビスの緩みや破断が発生することを防止できる。よって、吊り天井構造の揺れを抑制する補強ブレースの効果を確実に発揮させ、耐震性能を向上させることが可能になる。
【００１５】
また、本発明の吊り天井構造においては、介装部材を弾性体（粘弾性体を含む）とすることによって、ガセットプレートの突出方向先端側の角部が天井材に食い込むことを防止できるとともに、介装部材の弾性体によってガセットプレートと天井材の間に作用する力を吸収して減衰させ、吊り天井構造の横揺れをより抑えることが可能になる。
【図面の簡単な説明】
【００１６】
【図１】本発明の一実施形態に係る吊り天井構造を示す斜視図である。
【図２】本発明の一実施形態に係る吊り天井構造の補強ブレースの接合部分を示す断面図である。
【図３】従来の吊り天井構造を示す斜視図である。
【図４】従来の吊り天井構造の補強ブレースの接合部分を示す断面図である。
【発明を実施するための形態】
【００１７】
以下、図１及び図２を参照し、本発明の一実施形態に係る吊り天井構造について説明する。ここで、本実施形態は、優れた耐震性能を備えた吊り天井の構造に関するものである。
【００１８】
図１に示すように、本実施形態の吊り天井（吊り天井構造）Ｂは、例えば、クリーンルームのように、ファンフィルターユニット等の大重量の設備機器を天井部に設置してなる吊り天井であり、従来の吊り天井Ａと同様、水平の一方向Ｔ１に延び、一方向Ｔ１に直交する他方向Ｔ２に所定の間隔をあけて並設された複数の支持部材１と、上端側を上階の床材等の上部構造に接続し、下端側を支持部材１に接続して配設された複数の吊りボルト（吊り部材）２と、他方向Ｔ２に隣り合うＴバー１に架け渡すように配設されて天井面３ａを形成する天井材（システム天井、天井パネル）３と、上部構造に上端側を接続し、支持部材１に一端を接続して突設されたガセットプレート５に下端側を接続して斜設された補強ブレース４とを備えて構成されている。
【００１９】
また、本実施形態では、支持部材１として、断面逆Ｔ型のいわゆるＴバーが適用されている。補強ブレース４は、ガセットプレート５に下端側をビス留め（ビス６）して、Ｔバー１に接続されている。
【００２０】
一方、本実施形態の吊り天井Ｂにおいては、ガセットプレート５及び補強ブレース４と、天井材３との上下方向Ｔ３の間に介設された板状の介装部材７を備えている。また、本実施形態において、この介装部材７は、金属製で平板状に形成され、板面を上下方向Ｔ３に向け、且つガセットプレート５の突出方向先端５ａよりも外側に延出するようにして配設されている。また、本実施形態の介装部材７は、ガセットプレート５と天井材の上下方向Ｔ３の間の隙間寸法とほぼ同等の厚さ寸法を備えて形成され、天井材３に例えばタッピングビスなどを用いて一体に取り付けられている。なお、介装部材７は、天井材３ではなく、ガセットプレートやＴバー１に接続して配設されていてもよい。
【００２１】
そして、このように構成した本実施形態の吊り天井Ｂにおいては、図１及び図２に示すように（図４参照）、規模の大きな地震が発生し、吊り天井Ｂに水平力が作用して横揺れが生じ、ガセットプレート５に回転させるような力Ｍが作用した際に、ガセットプレート５及び補強ブレース４と天井材３との間に介装部材７が介設されているため、言い換えると、地震時に横揺れとともに変移するガセットプレート５の先端５ａの角部５ｂと天井材３との上下方向Ｔ３の間に、常に介装部材７が介設されているため、従来のようにガセットプレート５の先端５ａの角部５ｂが横揺れとともに天井材３に接触することがない。
【００２２】
このため、従来のように、地震によってガセットプレート５の先端５ａの角部５ｂが天井材３に食い込むおそれがなく、この食い込みに伴って急激に横揺れを抑えるような力がガセットプレート５や補強ブレース４に作用することがない。
【００２３】
したがって、本実施形態の吊り天井（吊り天井構造）Ｂにおいては、ガセットプレート５及び補強ブレース４と天井材３との上下方向Ｔ３の間に板状の介装部材７が設けられていることによって、地震時に吊り天井Ｂに横揺れが発生し、ガセットプレート５を回転させる力が作用した場合であっても、ガセットプレート５の角部５ｂが介装部材７によって天井材３に食い込むことを防止できる。
【００２４】
これにより、ガセットプレート５の天井材３への食い込みに伴って急激に横揺れを抑えるような力がガセットプレート５や補強ブレース４に作用することがなく、ビス６の緩みや破断が発生することを防止できる。よって、吊り天井Ｂの揺れを抑制する補強ブレース４の効果を確実に発揮させ、耐震性能を向上させることが可能になる。
【００２５】
以上、本発明に係る吊り天井構造の一実施形態について説明したが、本発明は上記の一実施形態に限定されるものではなく、その趣旨を逸脱しない範囲で適宜変更可能である。
【００２６】
例えば、本実施形態では、介装部材７が平板状に形成されているものとしたが、介装部材７は、ガセットプレート５の先端５ａの角部５ｂが天井材３に食い込むことを防止する板状部分を備えていれば、必ずしも平板状に形成されていなくてもよい。さらに、介装部材７がガセットプレート５の下端と天井材３の間の隙間と同等の厚さで形成されているものとしたが、前記隙間よりも厚さを小さくして形成されていても構わない。
【００２７】
また、介装部材７が弾性体（粘弾性体を含む）であってもよい。この場合には、介装部材７によってガセットプレート５の角部５ｂが天井材３に食い込むことを防止できるとともに、吊り天井構造Ｂの横揺れに伴い、ガセットプレート５と天井材３の間に作用する力を弾性によって吸収して減衰させることが可能になり、吊り天井構造Ｂの横揺れをより確実に抑えることが可能になる。
【符号の説明】
【００２８】
１      Ｔバー（支持部材）
２      吊りボルト（吊り部材）
３      天井材（システム天井、天井パネル）
３ａ    天井面
４      補強ブレース
５      ガセットプレート
５ａ    先端
５ｂ    角部
６      ビス
７      介装部材
Ａ      従来の吊り天井構造（吊り天井）
Ｂ      吊り天井構造（吊り天井）
Ｔ１    水平の一方向
Ｔ２    水平の他方向
Ｔ３    上下方向
【図１】
2014005627.tif 000003
【図２】
2014005627.tif 000004
【図３】
2014005627.tif 000005
【図４】
2014005627.tif 000006